(57)【要約】【課題】本発明は、美容用外衣の下に位置するクロス、衣服等への汚れを防止した美容用外衣を提供することを目的としている。【解決手段】外方に面している部分が流体を吸湿する吸湿性部材ａ１  で形成され、内方に面している部分が流体を透過しない防水性部材ａ２  で形成された美容用外衣Ａであって、美容用外衣Ａは、左肩、右肩、背中の一部、胸の一部を覆うと共に、首の周囲に位置する略円形開口部１１を有した美容用外衣本体１を備え、左胸部１４と右胸部１５で前記胸の一部を、左背部１６と右背部１７で前記背中の一部をそれぞれ覆うものであり、一端を外方に、他端を略円形開口部１１に至る切り込みによる切込線１８により、左胸部１４と右胸部１５とに分離されている。【選択図】図１
2004183182.tif 000002
【特許請求の範囲】
【請求項１】
外方に面している部分が流体を吸湿する吸湿性部材で形成され、内方に面している部分が流体を透過しない防水性部材で形成された美容用外衣であって、
左肩、右肩、背中の一部、胸の一部を覆うと共に、首の周囲に位置する略円形開口部を有した美容用外衣本体と、
前記略円形開口部の左側に位置し、前記左肩を覆う前記美容用外衣本体の左肩部と、
前記略円形開口部の右側に位置し、前記右肩を覆う前記美容用外衣本体の右肩部と、
前記美容用外衣本体の左肩部の前に位置し、左胸の一部を覆う前記美容用外衣本体の左胸部と、
前記美容用外衣本体の右肩部の前に位置し、右胸の一部を覆う前記美容用外衣本体の右胸部と、
前記美容用外衣本体の左肩部の後ろに位置し、左背中の一部を覆う前記美容用外衣本体の左背部と、
前記美容用外衣本体の右肩部の後ろに位置し、右背中の一部を覆う前記美容用外衣本体の右背部と、
前記左胸部と前記右胸部で前記胸の一部を、前記左背部と前記右背部で前記背中の一部をそれぞれ覆うものであり、
一端を外方に、他端を前記略円形開口部に至る切り込みによる切込線により、前記左胸部と前記右胸部とに分離されている
ことを特徴とする美容用外衣。
【請求項２】
略円形開口部の縁部に切り込みが入れられている
ことを特徴とする請求項１記載の美容用外衣。
【請求項３】
美容用外衣本体の展開時において、切込線は直線状であり、
前記切込線の他端である略円形開口部は、切込線開口部であり、
この切込線開口部に対向する略円形開口部の縁部は終点部であり、
この終点部より前記切込線開口部に至る略円形開口部の縁部の一方は左縁部であり、他方は右縁部であり、
前記略円形開口部の縁部に設けられた切り込みは複数あり、その内の一つは、前記終点部より前記切込線開口部に近い側の前記左縁部に設けられた第１の切り込みであり、他の一つは、前記終点部より前記切込線開口部に近い側の前記右縁部に設けられた第２の切り込みである
ことを特徴とする請求項１又は請求項２記載の美容用外衣。
【発明の詳細な説明】
【０００１】
本発明は、美容用外衣に係り、特に、美容用外衣の下に位置するクロス、衣服等への汚れを防止した美容用外衣に関する。
【０００２】
【従来の技術】
肩の線を肩に合わせ羽織り、後ろ身ごろを背中側に、前身ごろを胸側にして肩にかけ、左右の前身ごろを交互に重ね、左右の前身ごろ下端に設けたリボンを結ぶようにして理容用ケ−プ（美容用外衣）を身体に装着している（例えば、特許文献参照）。
【特許文献】
特開２００２−１９４６０４号公報（段落番号０００５  図１乃至図３）
【発明が解決しようとする課題】
しかしながら、上述した理容用ケ−プ（美容用外衣）にあっては、素材がポリエチレンからなるため、作業中、誤ってパ−マ液、毛染め液［毛染め工程中に霧吹きで髪を濡らす工程があるため、薄められた毛染め液が髪から滴下する場合がある。］等が髪から滴下する場合があり、かかる場合、理容用ケ−プ（美容用外衣）は、ある程度防水性は有するものの、理容用ケ−プ（美容用外衣）に滴下した液体の量が多いと、理容用ケ−プ（美容用外衣）から該液体が染み出し、美容用外衣の下に位置するクロス、衣服等を汚したり、また、理容用ケ−プ（美容用外衣）は、吸水性が無いため、該液体が理容用ケ−プ（美容用外衣）から流下し、美容用外衣の下に位置するクロス、衣服、更には、床等を汚してしまうという問題点があった。
【発明が解決しようとする課題】
本発明は、上述した問題点を考慮してなされたもので、美容用外衣の下に位置するクロス、衣服等への汚れを防止した美容用外衣を提供するものである。
【０００３】
【課題を解決するための手段】
上記目的を達成するために、請求項１記載の美容用外衣は、外方に面している部分が流体を吸湿する吸湿性部材で形成され、内方に面している部分が流体を透過しない防水性部材で形成された美容用外衣であって、左肩、右肩、背中の一部、胸の一部を覆うと共に、首の周囲に位置する略円形開口部を有した美容用外衣本体と、前記略円形開口部の左側に位置し、前記左肩を覆う前記美容用外衣本体の左肩部と、前記略円形開口部の右側に位置し、前記右肩を覆う前記美容用外衣本体の右肩部と、前記美容用外衣本体の左肩部の前に位置し、左胸の一部を覆う前記美容用外衣本体の左胸部と、前記美容用外衣本体の右肩部の前に位置し、右胸の一部を覆う前記美容用外衣本体の右胸部と、前記美容用外衣本体の左肩部の後ろに位置し、左背中の一部を覆う前記美容用外衣本体の左背部と、前記美容用外衣本体の右肩部の後ろに位置し、右背中の一部を覆う前記美容用外衣本体の右背部と、前記左胸部と前記右胸部で前記胸の一部を、前記左背部と前記右背部で前記背中の一部をそれぞれ覆うものであり、一端を外方に、他端を前記略円形開口部に至る切り込みによる切込線により、前記左胸部と前記右胸部とに分離されている。
【０００４】
また、請求項２記載の美容用外衣は、請求項１記載の美容用外衣において、略円形開口部の縁部に切り込みが入れられている。
【０００５】
また、請求項３記載の美容用外衣は、請求項１又は請求項２記載の美容用外衣において、美容用外衣本体の展開時において、切込線は直線状であり、前記切込線の他端である略円形開口部は、切込線開口部であり、この切込線開口部に対向する略円形開口部の縁部は終点部であり、この終点部より前記切込線開口部に至る略円形開口部の縁部の一方は左縁部であり、他方は右縁部であり、前記略円形開口部の縁部に設けられた切り込みは複数あり、その内の一つは、前記終点部より前記切込線開口部に近い側の前記左縁部に設けられた第１の切り込みであり、他の一つは、前記終点部より前記切込線開口部に近い側の前記右縁部に設けられた第２の切り込みである。
【０００６】
【実施例】
本発明の一実施例の美容用外衣を図面を参照して説明する。
図１乃至図７において、Ａは美容用外衣で、美容用外衣Ａは、外方に面している部分が流体を吸湿する吸湿性部材ａ１  （吸湿性部材ａ１  は、例えば、ポリプロピレンの短繊維で形成された不織布である。）で形成され、内方に面している部分（装着側）が流体を透過しない防水性部材ａ２  （防水性部材ａ２  は、例えば、ポリエチレンフィルムである。）で形成されている。
【０００７】
１は美容用外衣本体で、美容用外衣本体１は左肩、右肩、背中の一部、胸の一部を覆うと共に、首の周囲に位置する略円形開口部１１を有している。
また、１２は美容用外衣本体１の左肩部で、左肩部１２は略円形開口部１１の左側に位置し、装着者の左肩を覆うようになっている。
また、１３は美容用外衣本体１の右肩部で、右肩部１３は略円形開口部１１の右側に位置し、装着者の右肩を覆うようになっている。
また、１４は美容用外衣本体１の左胸部で、左胸部１４は美容用外衣本体１の左肩部１２の前に位置し、装着者の左胸の一部を覆うようになっている。
また、１５は美容用外衣本体１の右胸部で、右胸部１５は美容用外衣本体１の右肩部１３の前に位置し、装着者の右胸の一部を覆うようになっている。
また、１６は美容用外衣本体１の左背部で、左背部１６は美容用外衣本体１の左肩部１２の後ろに位置し、装着者の左背中の一部を覆うようになっている。
また、１７は美容用外衣本体１の右背部で、右背部１７は美容用外衣本体１の右肩部１３の後ろに位置し、右背中の一部を覆うようになっている。
【０００８】
従って、図３及び図４に示すように、左胸部１４と右胸部１５で装着者の胸の一部を、左背部１６と右背部１７で装着者の背中の一部をそれぞれ覆うように、左胸部１４と右胸部１５とが交差するようにし、クリップ２、２［図４、図５（ａ）参照］で保持するようにしている。
かかる場合、吸湿性部材ａ１  が外方に、防水性部材ａ２  が内方に位置するように、美容用外衣Ａを装着する。
なお、美容用外衣Ａの下には、望ましくは、防水性を有するクロス３が装着され、場合によりクロス３を装着せず、衣服の上に直に美容用外衣Ａを装着しても良い。また、１８は、一端を外方に、他端を略円形開口部１１に至る切り込みによる切込線で、切込線１８により、左胸部１４と右胸部１５とに分離されるようになっている。また、クリップ２の形状は、図５（ａ）に示される形状に限らず、図５（ｂ）に示される開閉が容易な形状でも良い。
【０００９】
上述した美容用外衣Ａによれば、首の周囲に略円形開口部１１を位置させ、美容用外衣本体１の左胸部１４と右胸部１５で胸の一部を、美容用外衣本体１の左背部１６と右背部１７で背中の一部をそれぞれ覆うと共に、外方に面している部分が流体を吸湿する吸湿性部材ａ１  で形成され、内方が流体を透過しない防水性部材ａ２  で形成されているため、図６に示すように毛染めする場合［毛染め工程中に霧吹きで髪を濡らす工程があるため、薄められた毛染め液が髪から滴下する場合がある。］、美容に使用する流体、例えば、毛染め液、（毛染め液以外には、パ−マ液）が美容用外衣Ａに誤って滴下しても吸湿性部材ａ１  に吸収され、流れ落ちることが防止され、吸湿性部材ａ１  に吸収された美容に使用する流体は、防水性部材ａ２  により内側への染み出しが防止され、衣服の汚れを防ぐことができる。
【００１０】
また、略円形開口部１１の縁部には、切り込み１９、２０が入れられ（図１参照）、図７に示すように、略円形開口部１１の縁部を首の周囲に沿って立設し易く、装着時の違和感も解消されると共に、略円形開口部１１の縁部を首の周囲に沿って立設した分、略円形開口部１１の縁部と首との密着度が良く、美容に使用する流体（パ−マ液、毛染め液等）の首からの侵入を防ぐことができる。切り込み１９、２０は、例えば、略円形開口部１１の縁部に直交するように設けられている。
なお、切り込み１９、２０を設けず、略円形開口部１１の縁部の端面が首の周囲に当接して毛染め用外衣Ａが装着されると、違和感があり装着しづらいと共に皺がよって見映えも良くない。
【００１１】
また、図１に示すように、美容用外衣本体１の展開時において、切込線１８は直線状であり、切込線１８の他端である略円形開口部１１は、切込線開口部１８ａとなっている。
切込線開口部１８ａに対向する略円形開口部１１の縁部は終点部１１ａで、終点部１１ａより切込線開口部１８ａに至る略円形開口部１１の縁部の一方は左縁部１１ｂで、他方は右縁部１１ｃとなっている。
略円形開口部１１の縁部に設けられた切り込み１９、２０は複数あり、その内の一つの切り込み１９は、終点部１１ａより切込線開口部１８ａに近い側の左縁部１１ｂに設けられた第１の切り込みであり、他の一つの切り込み２０は、終点部１１ａより切込線開口部１８ａに近い側の右縁部１１ｃに設けられた第２の切り込みとなっている。
このように、切り込み１９、２０を複数設けることにより、略円形開口部１１の縁部を首の周囲に沿ってより立設し易く、装着時の違和感もより解消されると共に、略円形開口部１１の縁部を首の周囲に沿って立設した分、略円形開口部１１の縁部と首との密着度が良く、美容に使用する流体（パ−マ液、毛染め液等）の首からの侵入をより防ぐことができる。
【００１２】
なお、美容用外衣Ａは、図１に示すような矩形形状に限らず、図８に示すような丸みを帯びたものでも良く、また、切り込み１９、２０を、図９に示すように、複数切り込み１９’、２０’を設けても良い。切り込み１９、２０、１９’、２０’と設けることにより、一枚の美容用外衣Ａにより、図１０に示すように首が細い人に、図１１に示すように首が細い人に対応できるようにすることもできる。
また、切込線１８は、図１に記載のもに限らず、図１２に示すように、幅を持たせても良いし、また、図１３に示すように、外方に向かって先細りとなるテ−パ−形状でも良い。
また、図１、図２に示すように、美容用外衣Ａには、外方に面している部分に流体を吸湿する吸湿性部材ａ１  を設けているが、吸湿性部材ａ１  に加えて、図１４に示すように、吸湿した流体の美容用外衣本体１の縁部への吸湿を防ぐために、略円形開口部１１の縁部と美容用外衣本体１の縁部との間に、吸湿性部材ａ１  より突出した第２の吸湿性部材２を、例えば、略Ｕ字形状に設けて、第２の吸湿性部材２で液体を吸湿するようにしても良い。
【００１３】
【発明の効果】
請求項１記載の美容用外衣によれば、首の周囲に略円形開口部を位置させ、美容用外衣本体の左胸部と右胸部で胸の一部を、美容用外衣本体の左背部と右背部で背中の一部をそれぞれ覆うと共に、外方に面している部分が流体を吸湿する吸湿性部材で形成され、内方が流体を透過しない防水性部材で形成されているため、美容に使用する流体（パ−マ液、毛染め液等）が美容用外衣に滴下しても吸湿性部材に吸収され、流れ落ちることが防止され、吸湿性部材に吸収された美容に使用する流体は、防水性部材により内側への染み出しが防止され、衣服の汚れを防ぐことができる。
【００１４】
請求項２記載の美容用外衣によれば、前述した請求項１記載の発明の効果に加え、略円形開口部の縁部に切り込みが設けられているため、略円形開口部の縁部を首の周囲に沿って立設し易く、装着時の違和感も解消されると共に、略円形開口部の縁部を首の周囲に沿って立設した分、略円形開口部の縁部と首との密着度が良く、美容に使用する流体（パ−マ液、毛染め液等）の首からの侵入を防ぐことができる。
なお、略円形開口部の縁部の端面が首の周囲に当接して毛染め用外衣が装着されると、違和感があり装着しづらい。
【００１５】
請求項３記載の美容用外衣によれば、前述した請求項２記載の発明の効果に加え、切り込みを複数設けることにより、略円形開口部の縁部を首の周囲に沿ってより立設し易く、装着時の違和感もより解消されると共に、略円形開口部の縁部を首の周囲に沿って立設した分、略円形開口部の縁部と首との密着度が良く、美容に使用する流体（パ−マ液、毛染め液等）の首からの侵入をより防ぐことができる。
【図面の簡単な説明】
【図１】図１は、本発明の一実施例の美容用外衣の概略的展開図である。
【図２】図２は、図１のＸ−Ｘ線による概略的断面図である。
【図３】図３は、図１の美容用外衣の装着前の概略的正面図である。
【図４】図４は、図１の美容用外衣の装着状態の概略的正面図である。
【図５】図５（ａ）は、図４の一部の概略的一部拡大断面図で、（ｂ）は図５（ａ）のクリップと異なる他のクリップを使用した状態の概略的一部拡大断面図である。
【図６】図６は、図１の美容用外衣を装着した状態を後ろ側から見た概略的斜視図である。
【図７】図７は、図６を前側から見た概略的斜視図である。
【図８】図８は、図１の美容用外衣と異なる美容用外衣の概略的展開図である。
【図９】図９は、図８の美容用外衣と異なる美容用外衣の概略的展開図である。
【図１０】図１０は、図９の美容用外衣を首が細い人に装着した状態の概略的斜視図である。
【図１１】図１１は、図９の美容用外衣を首が太い人に装着した状態の概略的斜視図である。
【図１２】図１２は、図９の美容用外衣と異なる美容用外衣の概略的展開図である。
【図１３】図１３は、図１２の美容用外衣と異なる美容用外衣の概略的展開図である。
【図１４】図１４は、図１３の美容用外衣と異なる美容用外衣の概略的展開図である。
【符号の説明】
Ａ            美容用外衣
ａ１            吸湿性部材
ａ２            防水性部材
１            美容用外衣本体
１１            略円形開口部
１４            左胸部
１５            右胸部
１６            左背部
１７            右背部
１８            切込線
【図１】
2004183182.tif 000003
【図２】
2004183182.tif 000004
【図３】
2004183182.tif 000005
【図４】
2004183182.tif 000006
【図５】
2004183182.tif 000007
【図６】
2004183182.tif 000008
【図７】
2004183182.tif 000009
【図８】
2004183182.tif 000010
【図９】
2004183182.tif 000011
【図１０】
2004183182.tif 000012
【図１１】
2004183182.tif 000013
【図１２】
2004183182.tif 000014
【図１３】
2004183182.tif 000015
【図１４】
2004183182.tif 000016